(57)【要約】【課題】移動速度にかかわらず、パスタイミングや受信レベルの測定精度を確保することによって通信品質を向上することができる移動通信端末及び移動通信方法を提供する。【解決手段】移動通信端末１００は、移動通信端末の移動状態を取得する移動状態取得部１２０と、移動状態取得部１２０によって取得された移動状態に基づいて、受信した無線信号の伝搬路の影響を推定するために用いられ、送信側と受信側とにおいて設定値が既知である既知信号の数、または無線信号の測定間隔Ｔｍを含む測定条件を決定するパスサーチ部１３１と、パスサーチ部１３１によって決定された測定条件に基づいて、無線信号を用いた信号処理を実行する受信レベル測定部１３５及び復調部１３７を備える。【選択図】図３
2008172768.tif 000002
【特許請求の範囲】
【請求項１】
受信した無線信号の伝搬路の影響を推定するために用いられ、送信側と受信側とにおいて設定値が既知である既知信号を含む前記無線信号を無線基地局から受信し、前記無線信号の状態に基づいて所定の信号処理を実行する移動通信端末であって、
前記移動通信端末の移動状態を取得する移動状態取得部と、
前記移動状態取得部によって取得された前記移動状態に基づいて、前記既知信号の数、または前記無線信号の測定間隔を含む測定条件を決定する測定条件決定部と、
前記測定条件決定部によって決定された前記測定条件に基づいて、前記無線信号を用いた前記信号処理を実行する信号処理部と
を備える移動通信端末。
【請求項２】
前記信号処理部は、
所定の基準タイミングに対するマルチパスの時間差を示すパスタイミングの測定、
或いは前記無線信号に関する受信レベルの測定と、前記無線信号を用いた復調とを実行する請求項１に記載の移動通信端末。
【請求項３】
前記移動状態取得部は、前記移動通信端末の移動速度を取得し、
前記測定条件決定部は、
前記移動状態取得部によって取得された前記移動速度が所定の閾値よりも低い場合、前記無線信号の状態の測定に用いられる前記既知信号の数を増やし、
前記移動状態取得部によって取得された前記移動速度が所定の閾値よりも高い場合、前記無線信号の状態の測定に用いられる前記既知信号の数を減らす請求項１に記載の移動通信端末。
【請求項４】
前記移動状態と、前記既知信号の数と、前記測定間隔とが対応付けられた測定条件テーブルを有し、
前記測定条件決定部は、前記測定条件テーブルに基づいて前記測定条件を決定する請求項１に記載の移動通信端末。
【請求項５】
受信した無線信号の伝搬路の影響を推定するために用いられ、送信側と受信側とにおいて設定値が既知である既知信号を含む無線信号を無線基地局から受信し、受信した前記無線信号の状態に基づいて所定の信号処理を実行する移動通信方法であって、
移動通信端末の移動状態を取得するステップと、
取得された前記移動状態に基づいて、前記既知信号の数、または前記無線信号の測定間隔を含む測定条件を決定するステップと、
決定された前記測定条件に基づいて、前記無線信号を用いた前記信号処理を実行するステップと
を備える移動通信方法。
【発明の詳細な説明】
【技術分野】
【０００１】
本発明は、受信した無線信号の伝搬路の影響を推定するために用いられ、送信側と受信側とにおいて設定値が既知である既知信号を含む当該無線信号を無線基地局から受信し、受信した当該無線信号の状態に基づいて通信制御を実行する移動通信端末及び移動通信方法に関する。
【背景技術】
【０００２】
従来、移動体通信システムでは、移動通信端末の移動方向や移動速度に応じて最適な無線基地局を移動通信端末に選択させるため、無線基地局から受信した無線信号の受信電界強度の時系列データを用いる方法が知られている（例えば、特許文献１）。
【０００３】
具体的には、移動通信端末は、当該時系列データによって特定される受信電界強度の傾きに基づいて、最適な受信電界強度が得られると期待される無線基地局を選択する。    
【特許文献１】特許第３４８１１０１公報（第３頁、第４図）
【発明の開示】
【発明が解決しようとする課題】
【０００４】
ところで、符号分割多元接続（ＣＤＭＡ）方式を用いる移動体通信システムでは、逆拡散処理によって分離されたマルチパスの基準タイミングに対する時間差を示すパスタイミングや無線信号の受信レベルが移動通信端末において測定される。
【０００５】
パスタイミングや受信レベルの測定では、受信した無線信号の伝搬路の影響を推定するために用いられ、送信側と受信側とにおいて設定値が既知であるパイロットシンボル（既知信号）数を増やす程、フェージングの影響などが抑制され、無線信号のＳ／Ｎ比が改善する。このため、パスタイミングや受信レベルの測定精度が向上する。
【０００６】
一方、測定に用いられるパイロットシンボル数を増やすと、パスタイミングや受信レベルの測定時間が長くなる。このため、移動通信端末が高速（例えば、１００ｋｍ／ｈ以上）で移動している場合（以下、「高速移動時」と適宜省略する）、ドップラーシフトによって測定対象のパイロットシンボルの位相がずれてしまい、パスタイミングや受信レベルの測定精度が低下する。このような測定精度の低下は、２ＧＨｚ帯のような高い周波数帯の無線信号を受信し、移動通信端末が超高速（例えば、２００ｋｍ／ｈ以上）で移動する場合に、特に発生し得る。
【０００７】
また、このような測定対象のパイロットシンボルの位相がずれる問題を回避するため、パスタイミングや受信レベルの測定時間を短くすると、移動通信端末が停止または低速で移動している場合（以下、「低速移動時」と適宜省略する）における無線信号のＳ／Ｎ比が悪化し、パスタイミングの測定精度が低下する。
【０００８】
つまり、移動通信端末の高速移動時及び低速移動時の双方において、パスタイミングや受信レベルの測定精度を確保することが困難であるといった問題があった。
【０００９】
パスタイミングの測定精度が低下すると、移動通信端末は、復調に用いるマルチパスを適切に選択できなくなる。また、受信レベルの測定精度が低下すると、適切な無線基地局を選択できなくなる。このため、通信品質が劣化する（例えば、ＳＩＲやＢＬＥＲの劣化及びスループットの低下）。
【００１０】
そこで、本発明は、このような二律背反の状況に鑑みてなされたものであり、移動速度にかかわらず、パスタイミングや受信レベルの測定精度を確保することによって通信品質を向上することができる移動通信端末及び移動通信方法を提供することを目的とする。
【課題を解決するための手段】
【００１１】
上述した問題を解決するため、本発明は、次のような特徴を有している。まず、本発明の第１の特徴は、受信した無線信号の伝搬路の影響を推定するために用いられ、送信側と受信側とにおいて設定値が既知である既知信号（パイロットシンボルＰ）を含む無線信号（無線信号Ｓ）を無線基地局から受信し、受信した前記無線信号の状態に基づいて所定の信号処理を実行する移動通信端末（移動通信端末１００）であって、前記移動通信端末の移動状態（例えば、移動速度ｖ）を取得する移動状態取得部（移動状態取得部１２０）と、前記移動状態取得部によって取得された前記移動状態に基づいて、前記既知信号の数（パイロットシンボル数ＮＳ）、または前記無線信号の測定間隔（測定間隔Ｔｍ）を含む測定条件を決定する測定条件決定部（パスサーチ部１３１）と、前記測定条件決定部によって決定された前記測定条件に基づいて、前記無線信号を用いた前記信号処理を実行する信号処理部（受信レベル測定部１３５，復調部１３７）とを備えることを要旨とする。
【００１２】
このような移動通信端末によれば、移動通信端末の移動状態に基づいて既知信号、具体的にはパイロットシンボルの数、または無線信号の状態の測定間隔を含む測定条件が決定される。
【００１３】
このため、移動通信端末の高速移動時には、無線信号の伝搬路の影響を推定するために用いられるパイロットシンボルの数を減らしたり、無線信号の状態の測定間隔（測定時間）を縮めたりすることができる。また、移動通信端末の低速移動時には、パイロットシンボルの数を増やしたり、無線信号の状態の測定間隔を延ばしたりすることができる。
【００１４】
すなわち、このような移動通信端末によれば、移動速度にかかわらずパスタイミングや受信レベルの測定精度が確保され、通信品質を向上することができる。
【００１５】
本発明の第２の特徴は、本発明の第１の特徴に係り、前記信号処理部は、所定の基準タイミング（基準タイミングＴ）に対するマルチパス（例えば、マルチパスＭＰ１，ＭＰ２）の時間差を示すパスタイミング（パスタイミングＴＰ）の測定、或いは前記無線信号に関する前記受信レベルの測定と、前記無線信号を用いた復調とを実行することを要旨とする。
【００１６】
本発明の第３の特徴は、本発明の第１の特徴に係り、前記移動状態取得部は、前記移動通信端末の移動速度（移動速度ｖ）を取得し、前記測定条件決定部は、前記移動状態取得部によって取得された前記移動速度が所定の閾値（例えば、１００ｋｍ／ｈ）よりも低い場合、前記無線信号の状態の測定に用いられる前記既知信号の数を増やし、前記移動状態取得部によって取得された前記移動速度が所定の閾値（例えば、２００ｋｍ／ｈ）よりも高い場合、前記無線信号の状態の測定に用いられる前記既知信号の数を減らすことを要旨とする。
【００１７】
本発明の第４の特徴は、本発明の第１の特徴に係り、前記移動状態と、前記既知信号の数と、前記測定間隔とが対応付けられた測定条件テーブル（測定条件テーブルＴＢ）を有し、前記測定条件決定部は、前記測定条件テーブルに基づいて前記測定条件を決定することを要旨とする。
【００１８】
本発明の第５の特徴は、受信した無線信号の伝搬路の影響を推定するために用いられ、送信側と受信側とにおいて設定値が既知である既知信号を含む無線信号を無線基地局から受信し、受信した前記無線信号の状態に基づいて所定の信号処理を実行する移動通信方法であって、前記移動通信端末の移動状態を取得するステップと、取得された前記移動状態に基づいて、前記既知信号の数、または前記無線信号の測定間隔を含む測定条件を決定するステップと、決定された前記測定条件に基づいて、前記無線信号を用いた前記信号処理を実行するステップとを備えることを要旨とする。
【発明の効果】
【００１９】
本発明の特徴によれば、移動速度にかかわらず、パスタイミングや受信レベルの測定精度を確保することによって通信品質を向上することができる移動通信端末及び移動通信方法を提供することができる。
【発明を実施するための最良の形態】
【００２０】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２１】
したがって、具体的な寸法などは以下の説明を参酌して判断すべきものである。また、図面相互間においても互いの寸法の関係や比率が異なる部分が含まれていることは勿論である。
【００２２】
（移動体通信システムの全体概略構成）
図１は、本実施形態に係る移動体通信システムの全体概略構成図である。図１に示すように、本実施形態に係る移動体通信システムは、通信ネットワーク１０、無線基地局１１，１２及び移動通信端末１００によって構成される。
【００２３】
通信ネットワーク１０は、無線基地局１１と無線基地局１２とを接続するための有線通信ネットワークである。
【００２４】
無線基地局１１及び無線基地局１２は、移動通信端末１００と所定の無線通信方式にしたがった無線通信を実行する。本実施形態では、無線基地局１１，１２及び移動通信端末１００は、符号分割多元接続（ＣＤＭＡ）方式にしたがった２ＧＨｚ帯の無線信号Ｓを送受信する。具体的には、無線基地局１１，１２及び移動通信端末１００は、受信した無線信号Ｓの伝搬路の影響を推定するために用いられ、送信側と受信側とにおいて設定値が既知であるパイロットシンボルＰを含む無線信号Ｓを送受信する。本実施形態では、パイロットシンボルＰは、既知信号を構成する。
【００２５】
パイロットシンボルＰとは、正村達郎編「無線技術とその応用２  移動体通信」（２−２−２節、丸善株式会社）に記載されているように、受信側の装置、例えば、移動通信端末１００において予め送信データ変調位相が既知のシンボルである。移動通信端末１００は、パイロットシンボルＰの受信位相及び振幅を、参照位相及び振幅として用いる。また、パイロットシンボルＰの構成としては、同書に記載されているように、コード多重型の他、時間多重型や周波数多重型であってもよい。
【００２６】
移動通信端末１００は、無線信号Ｓを無線基地局１１（または無線基地局１２）から受信し、受信した無線信号Ｓの状態に基づいて信号処理、例えば、無線信号Ｓ、具体的には、無線信号Ｓの受信レベルＬの測定を実行する。
【００２７】
（移動通信端末の機能ブロック構成）
次に、移動通信端末１００の機能ブロック構成について説明する。具体的には、移動通信端末１００の全体機能ブロック構成、及び信号処理部の詳細機能ブロック構成について説明する。
【００２８】
なお、以下、本発明との関連がある部分について主に説明する。したがって、移動通信端末１００は、当該装置としての機能を実現する上で必須な、図示しない或いは説明を省略した機能ブロック（操作キー部など）を備える場合があることに留意されたい。
【００２９】
（１）全体機能ブロック構成
図２は、移動通信端末１００の全体機能ブロック構成図である。図２に示すように、移動通信端末１００は、無線通信部１１０、移動状態取得部１２０、信号処理部１３０、通信制御部１４０及びバッテリ１５０を備える。
【００３０】
無線通信部１１０は、無線基地局１１，１２と、ＣＤＭＡ方式にしたがった無線通信を実行する。具体的には、無線通信部１１０は、無線基地局１１，１２と、無線信号Ｓを送受信する。
【００３１】
移動状態取得部１２０は、移動通信端末１００の移動状態を取得する。具体的には、移動状態取得部１２０は、移動通信端末１００の移動速度ｖを測定したり、推定したりすることによって、移動通信端末１００の移動状態を取得する。
【００３２】
例えば、移動状態取得部１２０は、移動通信端末１００の移動に伴うドップラーシフトに起因するパイロットシンボルＰの位相の変化量に基づいて、移動速度ｖを推定する。また、移動状態取得部１２０は、単位時間内に検出する無線基地局（セル）の数や、移動通信端末１００が存在するセルを変更する頻度に基づいて、移動速度ｖを検出することもできる。
【００３３】
なお、移動状態取得部１２０は、Global Positioning System（ＧＰＳ）を用いて移動速度ｖを測定してもよい。さらに、移動通信端末１００が自動車などの車両に搭載されている場合、当該自動車の車速パルスを用いて移動速度ｖを測定してもよい。
【００３４】
また、移動状態取得部１２０は、加速度センサやＩＣタグリーダを備え、移動通信端末１００が移動しているか否かを判定することによって移動状態を取得してもよい。
【００３５】
信号処理部１３０は、無線通信部１１０から出力された受信信号、及び無線通信部１１０に入力される送信信号に関する処理を実行する。
【００３６】
具体的には、信号処理部１３０は、図７に示すように、基準タイミングＴに対するマルチパス（例えば、マルチパスＭＰ２）の時間差を示すパスタイミングＴＰの測定を実行する。また、信号処理部１３０は、無線信号Ｓに関する受信レベルＬ、具体的には、無線信号Ｓに含まれるパイロットチャネル（不図示）のＲＳＣＰまたはＥｃ／Ｎ０の測定と、無線信号Ｓを用いた復調とを実行する。信号処理部１３０の具体的な機能については、後述する。
【００３７】
通信制御部１４０は、無線信号Ｓを用いた通信制御を実行する。特に、本実施形態では、信号処理部１３０によって決定された無線信号Ｓの状態の測定条件に基づいて通信制御を実行する。
【００３８】
具体的には、通信制御部１４０は、受信レベルＬの値が良好な無線基地局を選択したり、選択した無線基地局を介して音声通話の発着信処理などを実行したりする。また、通信制御部１４０は、ハンドオーバーに関する制御、通信品質（ＳＩＲ，ＢＬＥＲ）の測定結果に基づく無線基地局の送信電力制御などを実行する。
【００３９】
バッテリ１５０は、無線通信部１１０、移動状態取得部１２０、信号処理部１３０及び通信制御部１４０において必要となる電力を供給する。
【００４０】
（２）信号処理部１３０の詳細機能ブロック構成
図３は、信号処理部１３０の詳細機能ブロック構成図である。図３に示すように、信号処理部１３０は、パスサーチ部１３１、ＲＡＫＥ合成部１３３、受信レベル測定部１３５、復調部１３７及びテーブル記憶部１３９を備える。
【００４１】
パスサーチ部１３１は、移動状態取得部１２０によって取得された移動状態、具体的には移動速度ｖに基づいて、無線信号Ｓの状態の測定条件を決定する。本実施形態において、パスサーチ部１３１は、測定条件決定部を構成する。
【００４２】
具体的には、パスサーチ部１３１は、無線信号Ｓに含まれる所定数のパイロットシンボルＰを取得し、取得したパイロットシンボルＰに基づいて、無線信号Ｓの逆拡散相関値の演算、及びパスタイミングＴＰ（図７参照）の測定を実行する。
【００４３】
特に、本実施形態では、パスサーチ部１３１は、移動状態取得部１２０によって取得された移動速度ｖに基づいて、無線信号Ｓの伝搬路の影響を推定するために用いられるパイロットシンボルＰの数（パイロットシンボル数ＮＳ）またはパイロットシンボルＰの測定間隔Ｔｍを含む測定条件を決定する。具体的には、パスサーチ部１３１は、テーブル記憶部１３９に記憶されている測定条件テーブルＴＢに基づいて、パイロットシンボル数ＮＳ及び測定間隔Ｔｍを決定する。
【００４４】
図８は、本実施形態に係る測定条件テーブルＴＢの一例を示す。図８に示すように、測定条件テーブルＴＢでは、移動状態と、パイロットシンボル数ＮＳと、測定間隔Ｔｍとが対応付けられている。また、測定条件テーブルＴＢでは、状態０〜２までの３つの移動状態が規定されている。具体的には、静止または１００ｋｍ／ｈ以下の移動状態（状態０）、１００ｋｍ／ｈ超〜２００ｋｍ／ｈの高速移動状態（状態１）、及び２００ｋｍ／ｈ超の超高速移動状態（状態２）が規定されている。
【００４５】
パスサーチ部１３１は、移動状態取得部１２０によって取得された移動速度ｖが所定の閾値（例えば、１００ｋｍ／ｈ）よりも低い場合、測定条件テーブルＴＢに基づいて測定間隔Ｔｍを延ばす（４０ｍｓ→１００ｍｓ）とともに、パイロットシンボル数ＮＳを増やす（６→１０）。
【００４６】
一方、パスサーチ部１３１は、移動状態取得部１２０によって取得された移動速度ｖが所定の閾値（例えば、２００ｋｍ／ｈ）よりも高い場合、パイロットシンボル数ＮＳを減らす（６→４）。なお、パスサーチ部１３１は、移動状態取得部１２０によって取得された移動速度ｖが所定の閾値（例えば、２００ｋｍ／ｈ）よりも高い場合、測定間隔Ｔｍを縮めてもよい（例えば、４０ｍｓ→３０ｍｓ）。
【００４７】
ＲＡＫＥ合成部１３３は、パスサーチ部１３１から出力されたパスタイミングＴＰや逆拡散相関値を用いて、マルチパスＭＰ１〜ＭＰ３（図７参照）のＲＡＫＥ合成を実行する。
【００４８】
受信レベル測定部１３５は、無線信号Ｓの受信レベルＬを測定する。受信レベル測定部１３５は、パスサーチ部１３１から通知された測定間隔Ｔｍごとに無線信号Ｓの受信レベルＬを測定する。
【００４９】
復調部１３７は、ＲＡＫＥ合成部１３３によってＲＡＫＥ合成が実行された受信信号の復調処理を実行する。
【００５０】
テーブル記憶部１３９は、測定条件テーブルＴＢを記憶する。
【００５１】
（移動通信端末の動作）
次に、移動通信端末１００の動作について説明する。具体的には、（１）移動状態取得動作、（２）パスタイミング・受信レベル取得動作、及び（３）復調動作、について説明する。
【００５２】
（１）移動状態取得動作
図４は、移動通信端末１００による移動状態取得動作フロー図である。図４に示すように、ステップＳ１０において、移動通信端末１００の移動状態を取得する。例えば、移動通信端末１００は、移動通信端末１００の移動に伴うドップラーシフトに起因するパイロットシンボルＰの位相の変化量に基づいて、移動速度ｖを推定する。
【００５３】
ステップＳ２０において、移動通信端末１００は、取得した移動速度ｖに応じたパイロットシンボル数ＮＳ及び測定間隔Ｔｍを設定する。具体的には、移動通信端末１００は、取得した移動速度ｖと、測定条件テーブルＴＢ（図８参照）とに基づいて、パイロットシンボル数ＮＳ及び測定間隔Ｔｍを設定する。
【００５４】
（２）パスタイミング・受信レベル取得動作
図５は、移動通信端末１００によるパスタイミング・受信レベル取得動作フロー図である。図５に示すように、ステップＳ１１０において、移動通信端末１００は、移動通信端末１００の移動状態を判定する。具体的には、移動通信端末１００は、移動通信端末１００の移動速度ｖに基づいて、移動通信端末１００の移動状態が状態０〜状態２（図８参照）の何れに該当するかを判定する。
【００５５】
ステップＳ１２０において、移動通信端末１００は、測定条件テーブルＴＢに基づいて、判定した移動状態（状態０〜状態２）に応じたパイロットシンボル数ＮＳを取得する。
【００５６】
ステップＳ１３０において、移動通信端末１００は、無線信号Ｓの逆拡散相関値を演算する。具体的には、移動通信端末１００は、ステップＳ１２０において取得したパイロットシンボル数ＮＳに基づいて所定数（例えば、６つ）のパイロットシンボルＰを用い、無線信号Ｓの逆拡散相関値を演算する。
【００５７】
ステップＳ１４０において、移動通信端末１００は、パスタイミングＴＰ（図７参照）を測定する。例えば、移動通信端末１００は、マルチパスＭＰ１とマルチパスＭＰ２との時間間隔を測定する。
【００５８】
ステップＳ１５０において、移動通信端末１００は、演算した逆拡散相関値の積分を実行することによって、無線信号Ｓの受信レベルＬを取得する。
【００５９】
移動通信端末１００は、上述したステップＳ１１０〜Ｓ１５０の処理を測定間隔Ｔｍごとに繰り返す。
【００６０】
（３）復調動作
図６は、移動通信端末１００による復調動作フロー図である。図６に示すように、ステップＳ２１０において、移動通信端末１００は、パスタイミングＴＰや逆拡散相関値を用いて、マルチパスＭＰ１〜ＭＰ３のＲＡＫＥ合成を実行する。
【００６１】
ステップＳ２２０において、移動通信端末１００は、ＲＡＫＥ合成が実行された受信信号の復調処理を実行する。
【００６２】
移動通信端末１００は、上述したステップＳ２１０及びＳ２２０の処理を測定間隔Ｔｍごとに繰り返す。
【００６３】
（作用・効果）
移動通信端末１００によれば、移動通信端末１００の移動状態（移動速度ｖ）に基づいて無線信号Ｓの伝搬路の影響を推定するために用いられるパイロットシンボル数ＮＳ、または無線信号Ｓの状態の測定間隔Ｔｍを含む測定条件が決定される。
【００６４】
このため、移動通信端末１００の高速移動時には、パイロットシンボル数ＮＳを減らしたり、無線信号Ｓの状態の測定間隔Ｔｍ（測定時間）を縮めたりすることができる。また、移動通信端末１００の低速移動時には、パイロットシンボル数ＮＳの数を増やしたり、無線信号Ｓの状態の測定間隔Ｔｍを延ばしたりすることができる。
【００６５】
すなわち、移動通信端末１００によれば、移動速度ｖにかかわらずパスタイミングＴＰや受信レベルＬの測定精度が確保され、通信品質、具体的には、ＳＩＲやＢＬＥＲ及びスループットを向上することができる。さらに、移動通信端末１００の低速移動時には、無線信号Ｓの状態の測定間隔Ｔｍを延ばすことができるため、バッテリ１５０の消耗を抑制することができる。
【００６６】
本実施形態では、移動通信端末１００の移動状態と、パイロットシンボル数ＮＳと、測定間隔Ｔｍとが対応付けられている測定条件テーブルＴＢが用いられる。このため、テーブル記憶部１３９に記憶されている測定条件テーブルＴＢの内容を書き換えることによって容易に無線信号Ｓの状態の測定条件を変更することができる。
【００６７】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６８】
例えば、上述した本発明の実施形態では、測定条件テーブルＴＢを用いてパイロットシンボル数ＮＳと測定間隔Ｔｍとが決定されていたが、移動通信端末１００は、以下のような演算式を用いてパイロットシンボル数ＮＳと測定間隔Ｔｍを決定してもよい。
・  ＮＳ＝Ｐ１／ｖ    …（式１）
・  Ｔｍ＝Ｐ２／ｖ    …（式２）
【００６９】
ここで、Ｐ１及びＰ２は、移動体通信システムにおいて用いられる無線通信方式などに応じて決定されるパラメータである。また、ｖは、移動通信端末１００の移動速度（単位：ｋｍ／ｈ）である。例えば、Ｐ１として８００（単位：ｋｍ／ｈ）、Ｐ２として８（単位：ｓ・ｋｍ／ｈ）を設定することができる。また、（式１）及び（式２）を用いてパイロットシンボル数ＮＳ及び測定間隔Ｔｍを決定する場合、パイロットシンボル数ＮＳ及び測定間隔Ｔｍの上限値や下限値を設けてもよい。
【００７０】
上述した実施形態では、移動通信端末１００は、移動状態取得動作（図４参照）を所定の周期で繰り返し、パイロットシンボル数ＮＳまたは測定間隔Ｔｍが更新された場合、更新されたパイロットシンボル数ＮＳまたは測定間隔Ｔｍを用いてパスタイミング・受信レベル取得動作（図５参照）を実行することを前提と説明したが、ステップＳ１１０において移動状態取得動作を実行してもよい。この場合、ステップＳ１１０における移動状態取得動作によってパイロットシンボル数ＮＳも設定されるため、移動通信端末１００は、ステップＳ１２０を省略する。
【００７１】
上述した実施形態に係る移動体通信システムでは、ＣＤＭＡ方式が用いられていたが、本発明の適用範囲は、ＣＤＭＡ方式に限定されるものではない。また、上述した実施形態に係る移動体通信システムでは、２ＧＨｚ帯の無線信号Ｓが用いられていたが、本発明を適用可能な無線信号の周波数帯は、２ＧＨｚ帯に限定されるものではない。
【００７２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７３】
【図１】本発明の実施形態に係る移動体通信システムの全体概略構成図である。
【図２】本発明の実施形態に係る移動通信端末の全体機能ブロック構成図である。
【図３】本発明の実施形態に係る信号処理部の詳細機能ブロック構成図である。
【図４】本発明の実施形態に係る移動通信端末による移動状態取得動作フロー図である。
【図５】本発明の実施形態に係る移動通信端末によるパスタイミング・受信レベル取得動作フロー図である。
【図６】本発明の実施形態に係る移動通信端末による復調動作フロー図である。
【図７】本発明の実施形態に係る移動通信端末が受信するマルチパスの一例を示す図である。
【図８】本発明の実施形態に係る測定条件テーブルの一例を示す図である。
【符号の説明】
【００７４】
１０…通信ネットワーク、１１，１２…無線基地局、１００…移動通信端末、１１０…無線通信部、１２０…移動状態取得部、１３０…信号処理部、１３１…パスサーチ部、１３３…ＲＡＫＥ合成部、１３５…受信レベル測定部、１３７…復調部、１３９…テーブル記憶部、１４０…通信制御部、１５０…バッテリ、ＭＰ１〜ＭＰ３…マルチパス、Ｐ…パイロットシンボル、Ｓ…無線信号、ＴＢ…測定条件テーブル、ＴＰ…パスタイミング
【図１】
2008172768.tif 000003
【図２】
2008172768.tif 000004
【図３】
2008172768.tif 000005
【図４】
2008172768.tif 000006
【図５】
2008172768.tif 000007
【図６】
2008172768.tif 000008
【図７】
2008172768.tif 000009
【図８】
2008172768.tif 000010